(57)【特許請求の範囲】
【請求項１】
テレビ端子に接続されるコネクタであって、
同軸ケーブルの心線が接続可能な導電性の心線接続部と、
この心線接続部とは絶縁され、前記同軸ケーブルの外部導体が接続可能な導電性の外部導体接続部と、
前記心線接続部に一端が接続されているダミー抵抗器と、
このダミー抵抗器の他端に作用点が接触した第１の状態と、前記ダミー抵抗器の他端に前記作用点が非接触の第２の状態とに、選択的に変動可能に前記外部導体接続部に支点が支持されている導電性の接触部材と、
第１の状態に前記接触部材をバイアスするバイアス部材とを、具備し、
前記外部導体接続部に前記同軸ケーブルの外部導体が接続されたとき、前記バイアス部材によるバイアスに抗して、前記接触部材を第２の状態に変動させる力が付与される力点を前記接触部材が有するコネクタ。
【請求項２】
孔が形成された平板状部と、この平板状部の後端部に形成され、同軸ケーブルの外部導体を保持可能な外部導体保持部とを、有する導電性の外部導体接続部と、
絶縁体に保持され、前記孔を介して前記外部導体接続部の外方に先端が突出し、基端に前記同軸ケーブルの心線が接続可能な導電性の心線接続部と、
前記絶縁体内に設けられ、一端が前記心線接続部に接続され、他端が前記絶縁体における前記外部導体保持部と反対側に露出しているダミー抵抗器と、
一端部が前記ダミー抵抗器の露出端部に接触し、他端部が前記外部導体保持部側に位置し、前記他端部に前記同軸ケーブルが接触時に前記一端部が前記露出端部から離脱可能に、中途が前記外部導体接続部に支持されている導電性の接触部材と、
この接触部材の前記他端部へ前記同軸ケーブルが非接触時に、前記接触部材の前記一端部が前記ダミー抵抗器へ接触した状態を保持するバイアス手段とを、
具備するコネクタ。
【請求項３】
請求項２記載のコネクタにおいて、前記接触部材は、前記他端部が前記同軸ケーブルを横切るように配置されたコネクタ。
【請求項４】
請求項３記載のコネクタにおいて、前記接触部材は、それの一端部と他端部とを繋ぐ作用部材を、前記絶縁体の外方に有するコネクタ。
【請求項５】
請求項２記載のコネクタにおいて、前記バイアス手段は、
前記外部導体接続部をその下側から包囲するように配置された包囲部の底面において、前記接触部材の前記外部導体接続部への支持位置よりも前記外部導体保持部側に偏った位置に、上方に向けて突出させた押圧部材と、
前記接触部材に一体に設けられ、前記押圧部材によって上方へ押圧されている弾性部材とを、
有するコネクタ。
【発明の詳細な説明】
【０００１】
【発明の属する技術分野】
本発明は、同軸ケーブル接続用のコネクタに関し、特にダミー抵抗器を内蔵しているものに関する。
【０００２】
【従来の技術】
例えば、共同受信システムが導入されている家庭では、テレビジョン受像機に接続するためのテレビ端子が複数の部屋に設けられることがある。この複数の部屋の全てのテレビ端子にテレビジョン受像機が接続されずに、未使用のテレビ端子が生じることがある。このとき、未使用のテレビ端子からノイズが共同受信システムに混入し、この家庭の他のテレビジョン受像機の画面に影響を与えることがある。或いは、テレビ端子を未使用のままにしておくと、共同受信システムを伝送されているテレビジョン信号のＶＳＷＲの悪化を生じる。そこで、未使用のテレビ端子の心線は、ダミー抵抗器を介してアース側に接続する。
【０００３】
しかし、ダミー抵抗器を未使用のテレビ端子に一々接続するのは面倒であり、また、このテレビ端子を使用するときには、ダミー抵抗器を外さなければならない。そこで、特開昭６０−１８２６７８号には、ダミー抵抗器を着脱自在に内蔵したコネクタが、開示されている。このコネクタにおいてダミー抵抗器を接続した状態でこのコネクタを未使用のテレビ端子に接続すると、ダミー抵抗器がテレビ端子に接続され、上述したような問題は解決される。
【０００４】
【発明が解決しようとする課題】
しかし、このコネクタに同軸ケーブルを接続し、テレビ端子にこのコネクタを接続する場合には、ダミー抵抗器を手動によってコネクタから除去しなければならず、その作業が面倒である。コネクタ内に設けたダミー抵抗器を自動的に着脱するものとしては、例えば特開昭６３−４５７９号に開示されたものがある。しかし、このコネクタは、テレビジョン受像機のアンテナ端子に接続したときに自動的にダミー抵抗器が離脱されるように構成されている。従って、このコネクタをテレビ端子に接続した状態では、ダミー抵抗器が、テレビ端子には接続されない。
【０００５】
本発明は、同軸ケーブルを接続せずに、テレビ端子に接続されたとき、ダミー抵抗器をテレビ端子に接続でき、同軸ケーブルを接続して、テレビ端子に接続したとき、通常の使用ができるコネクタを提供することを目的とする。
【０００６】
【課題を解決するための手段】
本発明の第１の態様は、テレビ端子に接続されるコネクタであって、通常のコネクタと同様に、同軸ケーブルの心線が接続可能な導電性の心線接続部と、この心線接続部とは絶縁され、前記同軸ケーブルの外部導体が接続可能な導電性の外部導体接続部とを、有している。前記心線接続部にダミー抵抗器の一端が接続されている。このダミー抵抗器の他端と、外部導体接続部とを、接触状態及び非接触状態とする導電性の接触部材が設けられている。この接触部材は、ダミー抵抗器の他端に作用点が接触した第１の状態と、前記ダミー抵抗器の他端に前記作用点が非接触の第２の状態とに、選択的に変動可能に前記外部導体接続部に支点が支持されている。第１の状態に前記接触部材を保持するバイアス部材が設けられている。更に、接触部材には、前記外部導体接続部に前記同軸ケーブルの外部導体が接続されたとき、前記バイアス部材によるバイアスに抗して、前記接触部材を第２の状態に変動させる力が付与される力点が設けられている。
【０００７】
このように構成すると、このコネクタに同軸ケーブルを接続せずに、テレビ端子に接続すると、心線接続部と外部導体接続部との間にダミー抵抗器が接続された第１の状態であるので、テレビ端子にダミー抵抗器が接続された状態となる。一方、このコネクタの外部導体接続部に同軸ケーブルの外部導体を接続すると、この同軸ケーブルによって接触部材の力点に作用力が付与され、接触部材が第２の状態に変動し、ダミー抵抗器は外部導体接続部から離脱している。従って、このコネクタをテレビ端子に接続した場合、ダミー抵抗器の影響はない。その上、コネクタからダミー抵抗器を除去する作業が不要である。また、同軸ケーブルをこのコネクタから除去すると、バイアス部材によって再び第１の状態に戻るので、このコネクタをテレビ端子に接続することによって、テレビ端子にダミー抵抗器を接続できる。従って、もう一度ダミー抵抗器をコネクタの外部導体接続部と心線接続部とに接続する必要がない。
【０００８】
本発明の第２の態様は、同軸ケーブルの外部導体を接続可能な導電性の外部導体接続部を有し、この外部導体接続部は、平板状部と外部導体保持部を備えている。平板状部には、孔が形成されている。外部導体保持部は、この平板状部の後端部に形成されている。また、導電性の心線接続部も設けられている。これは絶縁体に保持され、前記孔を介して前記外部導体接続部の外方に先端が突出し、基端に前記同軸ケーブルの心線が接続可能である。前記絶縁体内にダミー抵抗器が設けられている。ダミー抵抗器の一端が心線接続部に接続され、他端が前記絶縁体における前記外部導体保持部と反対側に露出している。導電性の接触部材の一端部がダミー抵抗器の露出端部に接触し、接触部材の他端部が外部導体保持部側に位置し、この他端部に同軸ケーブルが接触時に、接触部材の一端部がダミー抵抗器の露出端部から離脱可能に、接触部材の中途が外部導体接続部に支持されている。この接触部材の他端部へ同軸ケーブルが非接触時に、接触部材の一端部がダミー抵抗器へ接触した状態をバイアス手段が保持する。
【０００９】
本発明の第２の態様によれば、外部導体保持部に同軸ケーブルを取り付けていない状態では、接触部材の他端部に同軸ケーブルは非接触状態である。このとき、接触部材の一端部がダミー抵抗器の露出端部に接触し、接触部材の中途が外部導体保持部に支持されているので、ダミー抵抗器は、外部導体接続部と心線接続部との間に接続されている。この状態で、このコネクタをテレビ端子に接続すると、ダミー抵抗器をテレビ端子に接続することができる。一方、外部導体保持部に同軸ケーブルの外部導体を保持させた状態では、接触部材の他端部に同軸ケーブルが接触し、接触部材の一端部がダミー抵抗器の露出端部から離脱する。この状態において、このコネクタをテレビ端子に接続すると、同軸ケーブルをテレビ端子に接続することができる。このとき、コネクタ内からダミー抵抗器を除去する必要がない。また、同軸ケーブルの外部導体を外部導体保持部から除去すると、バイアス手段が接触部材の一端部をダミー抵抗器の露出端部に接触させる。従って、同軸ケーブルをコネクタから取り外した後、テレビ端子に接続すると、再びテレビ端子にダミー抵抗器を接続でき、コネクタにもう一度ダミー抵抗器を接続する必要がない。
【００１０】
接触部材は、それの他端部が同軸ケーブルを横切るように配置することができる。このように構成すると、同軸ケーブルと接触部材との接触可能な部分が大きくなり、接触部材の一端部をダミー抵抗器の露出端部から確実に離脱させることができる。
【００１１】
これに加えて、接触部材は、それの一端部と他端部とを繋ぐ作用部材を、絶縁体の外方に有するものとできる。この場合、大きなスペースを使用せずに、ダミー抵抗器の露出端部を外部導体接続部に接続した状態、切り離した状態に、それぞれ切り換えることができる。
【００１２】
バイアス手段は、外部導体接続部をその下側から包囲するように配置された包囲部の底面において、前記接触部材の前記外部導体接続部への支持位置よりも前記外部導体保持部側に偏った位置に、上方に向けて突出させた押圧部材と、前記接触部材に一体に設けられ、前記押圧部材によって上方へ押圧されている弾性部材とを、有している。
【００１３】
このように構成すると、押圧部材によって弾性部材が押圧されることによって接触部材の一端部がダミー抵抗器の露出端部側に回転して、接触部材の一端部がダミー抵抗器の露出端部に接触した状態を維持する。弾性部材が接触部材に設けられ、かつ押圧部材も収容部に設けられているので、部品点数を減少させることができる。
【００１４】
【発明の実施の形態】
本発明の１実施の形態によるコネクタは、図１に示すように、外部導体接続部２と心線接続部４と、ダミー抵抗器６と、接触部材８とを有している。
【００１５】
外部導体接続部２は、導電性材料、例えば導電金属製の平板状部１０を有している。平板状部１０は概略長方形状に形成され、その中央部にその厚さ方向に貫通した円孔１２を有している。この平板状部１０の裏面側には、円孔１２を包囲するように、平板状部１０と一体に導電性の筒状部、例えば円筒状部１４が形成されている。この平板状部１０の両長縁部には、互いに対向するように側壁１６、１８が上方に突出するように形成されている。この平板状部１０の一方の短縁部、例えば後端部には、これと一体に導電性の外部導体保持部２０が形成されている。この外部導体保持部２０は、その内部に導入された同軸ケーブルの外部導体を、その両側の下側からそれぞれ把持するように概略Ｕ字状に形成され、その上端部には外部導体に係合するように多数の爪が形成されている。
【００１６】
この外部導体接続部２は、ケース２２の下側半分をなす下側収容部２４内に収容されている。下側収容部２４は、直方体状のケース２２を、その高さ方向のほぼ中央で長さ方向に沿う水平面に沿って分割したものである。下側収容部２４の底面には、円筒状部１４の直径にほぼ等しい直径を有する円孔２６が穿設され、この内部に円筒状部１４が挿通され、下側収容部２４の底面よりも下方に円筒状部１４が突出している。下側収容部２４の後方壁部には、同軸ケーブルを挿通するための半円孔２８が形成されている。
【００１７】
心線接続部４は、導電材料、例えば導電金属製のピン状に形成されている。この心線接続部４は、絶縁体３０にその上下方向に挿通され、その先端部は、絶縁体３０からさらに下方に突出している。この絶縁体３０は、その下面に円筒状部３２を有している。この円筒状部３２が円孔１２に挿通されることにより、心線接続部４の先端が、円筒状部１４内に、この円筒状部１４と同心に配置されている。なお、心線接続部４の基端４ａは、平板状に形成され、絶縁体３０の上壁に接触している。ビス３４に挿通され、絶縁体３０にビス３４が固定されることによって、心線接続部４の基端４ａの上面に金具３６が接触する。この金具３６と心線接続部４の基端４ａの上面との間に、同軸ケーブルの心線が固定される。
【００１８】
ダミー抵抗器６は、絶縁体３０内に設置されている。即ち、ダミー抵抗器６は、平板状部１０の長さ方向に沿って絶縁体３０内に挿入されている。このダミー抵抗器６の外部導体保持部２０側にある端部がコの字状に屈曲され、その先端部が心線接続部４の基端４ａの裏面側に絶縁体３０の上壁において接触している。ダミー抵抗器６の他端は、絶縁体３０から露出している。即ち、絶縁体３０の周面には、張出部３８が形成されている。この張出部３８における外部導体保持部２０とは反対側には微少な凹部４０が形成され、この凹部４０上にダミー抵抗器６の他端が露出している。
【００１９】
接触部材８は、導電材料、例えば導電金属製で、絶縁体３０の周囲を包囲するように、外部導体接続部２の側壁１６、１８間に配置されている。接触部材８は、側壁１６、１８にそれぞれ平行にかつこれらに接近して位置する作用部材、例えば長尺部４２、４４を有している。これら長尺部４２、４４の中途における側壁１６、１８と対向する面には、凹所４６、４８が形成されている。これら凹所４６、４８は側壁１６、１８の内面側にこれらとそれぞれ一体に形成した突起５０、５２に挿通されている。これによって、接触部材８は、この突起５０、５２を支点として回転自在である。
【００２０】
これら長尺部４２、４４がほぼ水平にある状態において、長尺部４２、４４の前端部は、絶縁体３０の凹部４０付近まで位置している。これら長尺部４２、４４の先端部間をこれらにほぼ垂直に繋ぐように、即ち、図２（ｂ）に示すように、凹部４０上のダミー抵抗器６の露出端部に接触するように、作用片部５４が、下方に向かって伸びている。
【００２１】
同様に、長尺部４２、４４の後端部は、図２（ａ）、（ｂ）に示すように、外部導体保持部２０の両側を通過し、外部導体保持部２０よりも後方に突出している。これら後端部間をこれらに垂直に繋ぐように、即ち外部導体保持部２０を横切るように、力点片部５６が下方に伸びている。従って、外部導体保持部２０に同軸ケーブルの外部導体を固定した場合、力点片部５６が下方に押され、凹所４６、４８を支点として接触部材８が回転し、作用片部５４がダミー抵抗器６の露出端部から離脱する。なお、このように力点片部５６が下方に押されたとき、この力点片部５６が外部導体保持部２０に接触しないように、長尺部４２、４４の長さが選択されている。
【００２２】
長尺部４２、４４の上縁部における凹所４６、４８付近から長尺部４２、４４の長さ方向に沿って力点片部５６側に向かって、弾性部材、例えば板バネ５８、６０が、長尺部４２、４４と一体に形成されている。これら板バネ５８、６０を下方から上方に向かって押圧するように、下側収容部２４の底面には、これと一体に、これら板バネ５８、６０に対応し、押圧部材、例えば柱状の突起６２、６４が形成されている。無論、この突起６２、６４は、絶縁体３０の両側に位置している。
【００２３】
このように板バネ５８、６０が突起６２、６４によって押圧されているので、図２（ｂ）に示すように、接触部材８の作用片部５４がダミー抵抗器６の露出端部に強固に押圧されている。即ち、接触部材８は、板バネ５８、６０、突起６２、６４によって下方にバイアスされている。
【００２４】
なお、下側収容部２４の上側には、絶縁体３０及び心線接続部４を包囲するように上側収容部６６が配置されている。この上下の収容部２４、６６によってケース２２が構成されている。上側収容部６６にも、同軸ケーブル挿通用の半円孔６８が、半円孔２８に対応して形成されている。
【００２５】
接触部材８及び外部導体接続部２も導電性であるので、図２（ｂ）に示すように、ダミー抵抗器６の露出端部が接触部材８に接触している状態では、ダミー抵抗器６は、心線接続部４と外部導体接続部２との間に接続されている。このコネクタをテレビ端子に接続すると、テレビ端子の中心導体が心線接続部４と接触し、テレビ端子の外部導体が、外部導体接続部２と接触するので、ダミー抵抗器６がテレビ端子の中心導体と外部導体との間に接続される。従って、同軸ケーブルが接続されていない状態のこのコネクタをテレビ端子に接続することによって、テレビ端子にダミー抵抗器を接続することができる。
【００２６】
また、図２（ｃ）に示すように、このコネクタの心線接続部４の基端部４ａと金具３６との間に同軸ケーブルの心線７０が接続され、かつ同軸ケーブルの外部導体７２が外部導体保持部２０によって保持されている状態では、接触部材８の力点片部５６に同軸ケーブルの外部導体７２が接触し、板バネ５８、６０の作用力に抗して、力点片部５６は下方に押し下げられている。よって、作用片部５４がダミー抵抗器６の露出端部から離脱している。この状態で、このコネクタをテレビ端子に接続すると、心線接続部４がテレビ端子の中心導体に接続され、かつ外部導体接続部２がテレビ端子の外部導体に接続される。力点片部５６は、同軸ケーブルの外部導体を横切る方向に設けられているので、力点片部５６と同軸ケーブルの外部導体との接触面積が大きく、確実に接触部材８を下側に回転させることができる。
【００２７】
なお、同軸ケーブルをこのコネクタから取り外すと、再び接触部材８の作用片５４がダミー抵抗器６の露出端部に接触する。従って、同軸ケーブルをはずしたこのコネクタを再びテレビ端子に接続すると、テレビ端子にダミー抵抗器６が接続される。
【００２８】
なお、コネクタにおいて、ダミー抵抗器を内蔵し、このコネクタの心線接続部と外部導体接続部との間にダミー抵抗器を接続したり、切り離したりするものが、例えば特開昭６３−４５７９号公報に開示されている。しかし、この公報のコネクタは、テレビジョン受像機のアンテナコンセントに、テレビ端子等に接続された同軸ケーブルを接続するコンセント用のものであり、アンテナコンセントにコネクタが接続されていない状態で、ダミー抵抗器を心線接続部と外部導体接続部とに接続し、アンテナコンセントにこのコネクタが接続された状態で、ダミー抵抗器を心線接続部と外部導体接続部との間から切り離すものである。従って、このコンセントは、テレビ端子には使用することができない。これに対し、この実施の形態のコネクタでは、同軸ケーブルを接続しているか否かによってダミー抵抗器６が接続されたり、切り離されたりするので、同軸ケーブルに接続していない状態でテレビ端子に接続することにより、テレビ端子にダミー抵抗器を接続することができる。
【００２９】
ダミー抵抗器６の接触、離脱の切換には、枠状の接触部材８が使用されている。接触部材８は、通常のコネクタが備えている外部導体接続部２と心線接続部４との間に配置されており、大きなスペースを占有しない。従って、ダミー抵抗器６の接続、離脱を行うために、コネクタの寸法が大きくなることもない。
【００３０】
上記の実施の形態のコネクタでは、心線接続部は、ピン状のものを使用したが、ピン状のものを内部に収容する筒状のもの（レセプタクブル）を使用することもできる。また、上記の実施の形態のコネクタでは、長尺部４２、４４に凹所４６、４８を形成し、側壁１６、１８に突起５０、５２を形成したが、逆に長尺部４２、４４に突起を、側壁１６、１８に凹所を形成してもよい。また、板バネ５８、６０を弾性手段として用いたが、これに代えて合成の大きい板状体を設け、この板状体と下側収容部２４の底面との間に板状体を常に上方に押圧するコイルバネのような弾性体を設けてもよい。また板バネ５８、６０は凹所４６、４８から力点片部５６側に向かって形成したが、逆に凹所４６、４８から作用片部５４側に向かって形成してもよい。この場合、突起６２は、上側収容部６６に設ければよい。また、接触部材８としては枠状のものを使用したが、例えば長尺部４２、４４のいずれか一方のみを設けることもできる。この場合、作用片部５４、力点片部５６の長さは、実施の形態として示したもののままとしてもよいし、或いは、短くすることもできる。
【００３１】
【発明の効果】
以上のように、本発明によるコネクタによれば、同軸ケーブルを接続せずに、テレビ端子に接続されたとき、ダミー抵抗器をテレビ端子に接続でき、同軸ケーブルを接続して、テレビ端子に接続したとき、通常の使用ができ、一々ダミー抵抗器をテレビ端子に接続したり、外したりする必要がない。
【図面の簡単な説明】
【図１】本発明のコネクタの１実施の形態の組み立て図である。
【図２】（ａ）は、図１のコネクタの平面図、（ｂ）は図１のコネクタの同軸ケーブルが非接続の状態の縦断面図、（ｃ）は図１のコネクタの同軸ケーブルを接続した状態の縦断面図である。
【符号の説明】
２  外部導体接続部
４  心線接続部
６  ダミー抵抗器
８  接触部材
５８  ６０  板バネ（バイアス手段）
６２  ６４  突起（バイアス手段）
【図１】
0004233696.tif 000002
【図２】
0004233696.tif 000003